(57)【要約】【課題】光の照射方向を変更できる埋込型の照明器具であって、簡易に部屋の外観を改善できる照明器具を提供する。【解決手段】建築物に埋設される、埋込型の照明器具１０であって、建築物に固定される筒状の枠体２０と、光源を有する発光部４０と、発光部４０を固定し、枠体２０の側面を貫通する軸を中心として回転可能に枠体２０に支持されることで発光部４０から出射し枠体２０を通過する光の照射方向を変更する筐体３０と、弾性を有するカバー５０とを備え、筐体３０は、筒状の外周面の一部が欠落した開口である第１開口部３１を有し、カバー５０は、第１開口部３１を覆う。【選択図】図５
2016091955.tif 000002
【特許請求の範囲】
【請求項１】
建築物に埋設される、埋込型の照明器具であって、
前記建築物に固定される筒状の枠体と、
光源を有する発光部と、
前記発光部を固定し、前記枠体の側面を貫通する軸を中心として回転可能に前記枠体に支持されることで前記発光部から出射し前記枠体を通過する光の照射方向を変更する筐体と、
弾性を有するカバーとを備え、
前記筐体は、筒状の外周面の一部が欠落した開口である第１開口部を有し、
前記カバーは、前記第１開口部を覆う、
照明器具。
【請求項２】
前記カバーの材質はゴムである、
請求項１に記載の照明器具。
【請求項３】
前記筐体は、前記外周面のうち前記第１開口部よりも前記発光部側に位置する筒状の第１外周面を有し、
前記カバーは、前記第１外周面の全周を密着して覆う筒状の第１カバー部を有する、
請求項１又は２に記載の照明器具。
【請求項４】
前記筐体は、前記外周面のうち前記第１開口部及び前記第１外周面を除く外周面である第２外周面を有し、
前記カバーは、前記第１開口部を覆う第２カバー部と、前記第２カバー部の一端及び他端を連結するベルト部とを有し、
前記ベルト部は前記第２外周面の一部を覆う、
請求項３に記載の照明器具。
【請求項５】
前記第１カバー部は円筒形状であり、前記第２カバー部及び前記ベルト部は半円筒形状である、
請求項４に記載の照明器具。
【発明の詳細な説明】
【技術分野】
【０００１】
本発明は、照明器具に関し、特に、天井に埋設され光の照射方向を変更することが可能な照明器具に関する。
【背景技術】
【０００２】
建築物に埋設される埋込型の照明器具であって、光の照射方向を変更することが可能なユニバーサルダウンライトがある。例えば、特許文献１には、このような照明器具に関連する技術が記載されている。
【先行技術文献】
【特許文献】
【０００３】
【特許文献１】特開２０１４−１３０７４６号公報
【発明の概要】
【発明が解決しようとする課題】
【０００４】
ところで、上記従来の照明器具では、建築物である例えば天井に埋設されて固定された筒状の枠体の内部空間に、光源を有する発光部が配置され、光源が天井面とほぼ同じ面にあるため、光源は部屋内の広範囲に亘ってユーザから直接見られる。これにより、ユーザが光を直接見ることによる不快感、つまり、グレアを感じる可能性が高くなる。これに対して、部屋への光の照射方向とは反対側に筒状に延び、筒状の外周面の一部が欠落した開口が設けられた筐体を枠体の側面を貫通する軸を中心として回転可能に枠体に支持されるようにし、筐体に発光部が固定され、グレアを抑制しつつ光の照射方向を変更することが可能な照明器具が提案されている。これにより、光源が部屋から見て天井の奥方向に配置されることにより、ユーザがグレアを感じる範囲が光源の真下のみになる。
【０００５】
ここで、筒状の外周面には、筐体の回転による筐体と枠体との接触を防ぐために、一部が欠落した開口が設けられる。しかしながら、この開口を通してユーザから天井裏が見られるため、部屋の外観が損なわれている。部屋の外観を改善するために開口に別部材を取り付けることが考えられるが、そのような方法では、既設の照明器具に対して加工又は形状変更等が必要となり、照明器具が設置された現場での作業は困難となる。
【０００６】
そこで、本発明は、光の照射方向を変更できる埋込型の照明器具であって、簡易に部屋の外観を改善できる照明器具を提供することを目的とする。
【課題を解決するための手段】
【０００７】
本発明の一態様に係る照明器具は、建築物に埋設される、埋込型の照明器具であって、前記建築物に固定される筒状の枠体と、光源を有する発光部と、前記発光部を固定し、前記枠体の側面を貫通する軸を中心として回転可能に前記枠体に支持されることで前記発光部から出射し前記枠体を通過する光の照射方向を変更する筐体と、弾性を有するカバーとを備え、前記筐体は、筒状の外周面の一部が欠落した開口である第１開口部を有し、前記カバーは、前記第１開口部を覆う。
【発明の効果】
【０００８】
本発明の一態様に係る照明器具は、光の照射方向を変更できる埋込型の照明器具であって、簡易に部屋の外観を改善できる。
【図面の簡単な説明】
【０００９】
【図１】実施の形態に係る照明器具の外観図である。
【図２】実施の形態に係る照明器具の分解斜視図である。
【図３】実施の形態に係るカバーの外観図である。
【図４】実施の形態に係る照明器具のカバーによる外観の改善を示す図である。
【図５】実施の形態に係る照明器具が回転したときの状態を示す図である。
【発明を実施するための形態】
【００１０】
以下では、本発明の実施の形態に係る照明器具について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。また、各図において、同じ構成部材については同じ符号を付している。
【００１２】
（実施の形態）
［全体構成］
図１は、実施の形態に係る照明器具１０の外観図である。
【００１３】
図２は、実施の形態に係る照明器具１０の分解斜視図である。
【００１４】
照明器具１０は、枠体２０、筐体３０、発光部４０及びカバー５０を備えている。詳細については後述するが、筐体３０は、回転軸Ｊ１を軸として矢印Ａ１の方向へ回転させられる。また、筐体３０は、Ａ１の方向へ回転させられた状態から、Ａ２の方向に回転させられる。なお、照明器具１０は、図１に示されていない電源モジュールからの電力の供給を受けて光を照射する。
【００１５】
枠体２０は、筒状、例えば円筒形状の金属から構成され、建築物である例えば天井に埋設されて固定される。枠体２０は、開口部２１、２２、取付ばね２３及び接続部２４を備える。なお、枠体２０は、天井に限らず、壁又は床等に埋設されて固定されてもよい。
【００１６】
開口部２１は、光の照射方向に向けて円形に開口しており、発光部４０からの光を部屋に通す。開口部２１を通して部屋内の照射したいスポットへ光が照射される。開口部２１の面は、天井とほぼ同じ面となり、照明器具１０を構成する部位のうち、開口部２１を除く部位は天井裏に配置される。
【００１７】
開口部２２は、光の照射方向の反対方向（発光部４０側）に向けて円形に開口しており、発光部４０からの光を枠体２０の内部空間に通す。開口部２２の面は、天井と平行な面となる。枠体２０の内部空間を通った光は開口部２１から照射される。また、枠体２０の開口部２２側で、枠体２０は枠体２０の側面を貫通する軸を中心として筐体３０を回転可能に支持する。
【００１８】
取付ばね２３は、枠体２０を天井に固定する。具体的には、取付ばね２３が上方に弾性変形させられた状態で照明器具１０は天井に埋め込まれ、取付ばね２３が弾性復元させられると、天井が取付ばね２３と枠体２０の開口部２１側とに挟まれる。このように、枠体２０は天井に固定される。
【００１９】
接続部２４は、枠体２０の開口部２２側に設けられる、例えばネジ穴である。接続部２４において、例えばネジ及びナットにより枠体２０と筐体３０とが接続され、枠体２０は枠体２０の側面を貫通する軸を中心として筐体３０を回転可能に支持する。具体的には、枠体２０は、図１に示されるように、枠体２０の側面にある接続部２４を貫通する天井面と平行な回転軸Ｊ１を軸として矢印Ａ１の方向へ筐体３０が回転させられるように、筐体３０を支持する。また、筐体３０は、Ａ１の方向へ回転させられた状態から、Ａ２の方向に回転させられることで元の状態（筐体３０が天井面に対して垂直である状態）に戻される。このように、接続部２４において枠体２０は筐体３０を回転可能に支持する。
【００２０】
なお、詳細は後述するが、枠体２０には、開口部２５が設けられてもよい。
【００２１】
筐体３０は、筒状、例えば円筒形状の金属から構成される。筐体３０は、後述する発光部４０を固定し、枠体２０の側面を貫通する軸を中心として回転可能に枠体２０に支持されることで発光部４０から出射し枠体２０を通過する光の照射方向を変更する。筐体３０は、第１開口部３１、第２開口部３２、第３開口部３３、第１外周面３４、第２外周面３５、接続部３６及び３７を備える。
【００２２】
第１開口部３１は、筐体３０と枠体２０との接触を防ぐために筐体３０の筒状の外周面の一部が欠落した開口である。本実施の形態では、第１開口部３１は、筐体３０の筒状の外周面のうち半円筒が欠落した開口である。例えば、第１開口部３１が筐体３０にない場合に、筐体３０がＡ１の方向へ回転させられると、筐体３０の外周面が枠体２０に接触し、筐体３０は回転させられない。従って、図２に示されるように、第１開口部３１は、筐体３０の枠体２０に近い側、つまり後述する第３開口部３３側から後述する第１外周面３４まで欠落した状態となっている。また、第１開口部３１は、図２では、円筒の右側にのみ開口している。この状態では、筐体３０は、筐体３０が天井面に対して垂直な状態から図２における反時計回りに回転させられない。しかし、枠体２０が枠体２０の周方向に回転させられて天井に取り付けられることで、光の照射方向を所望の方向にすることができる。つまり、枠体２０が周方向に回転させられて固定され、さらに、筐体３０が図１に示される回転軸Ｊ１を軸として回転させられることで、光の照射方向を所望の方向にすることができる。なお、筐体３０と枠体２０との接触を防ぐために枠体２０の外周面にも図２に示されるように開口部２５が設けられてもよい。これにより、広い角度で筐体３０は回転させられる。
【００２３】
第２開口部３２は、光の照射方向の反対方向に向けて円形に開口している。後述する第１外周面３４は、筐体３０の外周面のうち第２開口部３２側に位置する。
【００２４】
第３開口部３３は、光の照射方向に向けて開口している。本実施の形態では、第３開口部３３は、半円形に開口している。筐体３０の第３開口部３３側で、枠体２０に対して筐体３０は回転可能に支持される。
【００２５】
第１外周面３４は、筐体３０の外周面のうち第１開口部３１よりも後述する発光部４０側に位置する円筒形状の外周面である。図２に示されるように、筐体３０の第１外周面３４の内径と発光部４０の開口部４１側の外周面の外径とはほぼ同じになっており、第２開口部３２を通して発光部４０は、第１外周面の内側にはめ込まれる。
【００２６】
第２外周面３５は、筐体３０の外周面のうち第１開口部３１及び第１外周面３４を除く外周面である。第２外周面３５は、第３開口部３３と第１外周面３４との間に位置する。本実施の形態では、第２外周面３５は、半円筒形状をしている。従って、前述したように、第１開口部３１は、筐体３０の外周面のうち半円筒が欠落した開口となる。
【００２７】
第１開口部３１、第２開口部３２、第３開口部３３、第１外周面３４及び第２外周面３５の位置関係は、発光部４０から枠体２０に向けて、第２開口部３２、第１外周面３４、第１開口部３１及び第２外周面３５、第３開口部３３の順番に配置される。
【００２８】
接続部３６は、筐体３０の第３開口部３３側に設けられる、例えばネジ穴である。接続部３６及び接続部２４において、例えばネジ及びナットにより枠体２０と筐体３０とが接続され、枠体２０に対して筐体３０は回転可能に支持される。
【００２９】
接続部３７は、筐体３０の第２開口部３２側に設けられる、例えばネジ穴である。接続部３７において、例えばネジにより筐体３０と筐体３０の第１外周面３４の内側にはめ込まれた発光部４０とが接続され、発光部４０は筐体３０に固定される。
【００３０】
発光部４０は、例えば、ＣＯＢ（Ｃｈｉｐ  Ｏｎ  Ｂｏａｒｄ）タイプのＬＥＤ（Ｌｉｇｈｔ  Ｅｍｉｔｔｉｎｇ  Ｄｉｏｄｅ）からなる複数の光源を有し、開口部４１、ヒートシンク４２、導光板４３及び接続部４４を備える。光源は図１及び２に図示されていないが、ヒートシンク４２と導光板４３との間に配置されている。
【００３１】
開口部４１は、光の照射方向に向けて開口しており、光源及び導光板４３が配置されている。
【００３２】
ヒートシンク４２は、光源が発生する熱を放熱するための放熱部材であり、効率良く熱伝導させるために、金属材料または熱伝導率の高い樹脂材料等によって構成される、例えば、ヒートシンク４２は、アルミダイカスト製の冷却フィンである。ヒートシンク４２は、光源と熱的に接続され、光源において発生した熱を空中等に放熱する。
【００３３】
導光板４３は、光を均一に出射するための板であり、複数の光源を覆うように構成されている。つまり、透導光板４３は、光源の保護もしている。光源が発する光は、導光板４３を通ることで、輝度が抑制される。さらに、光源が発する光は、導光板４３を通ることで、開口部４１の面と交差して均一に出射される。
【００３４】
接続部４４は、ヒートシンク４２に設けられた、例えばネジ穴である。接続部４４及び接続部３７において、例えばネジにより筐体３０と発光部４０とが接続され、発光部４０は筐体３０に固定される。発光部４０が筐体３０に固定され、筐体３０が回転されることで、光の照射方向を変更することが可能になる。また、接続部４４は、光源で発生した熱をヒートシンク４２からさらに筐体３０に伝導する。これにより、光源で発生する熱の放熱効果が向上する。
【００３５】
カバー５０は、筒状、例えば円筒形状をしており、弾性を有する材料によって構成される。カバー５０は、筐体３０の第１開口部３１を覆う。カバー５０については、後述する図３を用いて詳細に説明する。
【００３６】
図３は、実施の形態に係るカバー５０の外観図である。
【００３７】
カバー５０は、材質がゴムであり弾性を有する。カバー５０は、第１カバー部５１、第２カバー部５２及びベルト部５３を備える。
【００３８】
第１カバー部５１は、円筒形状をしており、第１外周面３４の全周を密着して覆う。第１カバー部５１の材質はゴムである。第１カバー部５１の内径は、第１外周面３４の外径よりも小さくなっており、第１カバー部５１がゴムの弾性により引き伸ばされて弾性変形し、第１外周面３４に装着される。従って、第１カバー部５１は、第１外周面３４を密着して覆うことができる。
【００３９】
第２カバー部５２は、筐体３０の筒状の外周面の一部が欠落した開口である第１開口部３１を覆う。第２カバー部５２の材質はゴムである。本実施の形態では、第１開口部３１は、筐体３０の筒状の外周面のうち半円筒が欠落した開口であるため、第２カバー部５２は、第１開口部３１の形状に応じて半円筒形状をしている。また、第２カバー部５２の材質がゴムであるため、第２カバー部５２は、力が掛けられると弾性変形する。
【００４０】
ベルト部５３は、第２カバー部５２の一端及び他端を連結し、第２外周面３５の一部を覆う。本実施の形態では、第２外周面３５は、半円筒形状をしているため、ベルト部５３は、第２外周面３５の形状に応じて半円筒形状をしている。空間である第１開口部３１を覆うことで筐体３０との接触面が少なく不安定な状態にある第２カバー部５２は、第２カバー部５２と一体となっているベルト部５３の内周面が第２外周面３５に接触することで、不安定な状態が解消される。
【００４１】
このように、本実施の形態における照明器具１０は、枠体２０、筐体３０、発光部４０及びカバー５０によって構成される。枠体２０が取付ばね２３により天井に固定されることで、照明器具１０は天井に埋設される。筒状の外周面の一部が欠落した開口である第１開口部３１を有する筐体３０が枠体２０の側面を貫通する軸を中心として回転可能に支持されることで、筐体３０に固定された発光部４０からの光の照射方向を変更することができる。また、第１開口部３１は、カバー５０により覆われる。
【００４２】
［効果等］
既設の照明器具が天井に埋設され、筐体の外周面に開口部が設けられている場合には、部屋の外観を改善するために開口部を覆うカバーが必要となる。
【００４３】
しかしながら、開口部を覆うために別部材を取り付ける場合、既設の照明器具に対して加工又は形状変更等が必要となり、照明器具が設置された現場での作業は困難となる。
【００４４】
そこで、本実施の形態に係る照明器具１０は、上述したように、建築物に埋設される、埋込型の照明器具である。照明器具１０は、建築物に固定される筒状の枠体２０と、光源を有する発光部４０と、発光部４０を固定し、枠体２０の側面を貫通する軸を中心として回転可能に枠体２０に支持されることで発光部４０から出射し枠体２０を通過する光の照射方向を変更する筐体３０と、弾性を有するカバー５０とを備える。筐体３０は、筒状の外周面の一部が欠落した開口である第１開口部３１を有し、カバー５０は、第１開口部３１を覆う。
【００４５】
これにより、筒状のカバー５０の内径を筒状の筐体３０の外径よりも小さくすることで、弾性を有するカバー５０は筐体３０を締め付けるようにして固定される。従って、既設の照明器具に対しての加工又は形状変更等は必要なく、照明器具が設置された現場での作業はカバー５０を取り付けるだけになり容易となる。ここで、取り付けられたカバー５０による部屋の外観の改善について、図４を用いて説明する。
【００４６】
図４は、実施の形態に係る照明器具１０のカバー５０による外観の改善を示す図である。
【００４７】
図４の（ａ）に示されるように、カバー５０が取り付けられていない照明器具では、部屋にいるユーザから枠体を通し、さらに筒状の外周面の一部が欠落した開口を通して天井裏が見られるため、部屋の外観が損なわれる。
【００４８】
そこで、図４の（ｂ）に示されるように、カバー５０が取り付けられた照明器具１０では、部屋にいるユーザからの視線は、カバー５０により遮断され、ユーザから天井裏が見られないため、部屋の外観は損なわれない。
【００４９】
このように、照明器具１０は、光の照射方向を変更できる埋込型の照明器具であって、簡易に部屋の外観を改善できる。
【００５０】
また、例えば、カバー５０の材質はゴムである。
【００５１】
これにより、カバー５０の材質は、十分な弾性を有するゴムなので、カバー５０はより容易に筐体３０へ取り付けられる。また、筐体３０が回転させられたときに、カバー５０は、後述する図５に示されるように枠体２０に接触する。
【００５２】
図５は、実施の形態に係る照明器具１０が回転したときの状態を示す図である。
【００５３】
図５に示されるように、照明器具１０の筐体３０が回転させられたときに、カバー５０は、筐体３０の回転角度によっては枠体２０に接触する。しかし、カバー５０の材質は、十分な弾性を有するゴムなので、カバー５０が枠体２０に接触しても、図５に示されるようにカバー５０は弾性変形をする。このように、筐体３０に取り付けられたカバー５０が枠体２０に接触してもカバー５０は弾性変形をするので、筐体３０を無理なく回転させることができる。
【００５４】
また、例えば、筐体３０は、筐体３０の外周面のうち第１開口部３１よりも発光部４０側に位置する筒状の第１外周面３４を有する。カバー５０は、第１外周面３４の全周を密着して覆う筒状の第１カバー部５１を有する。
【００５５】
これにより、第１カバー部５１は、第１外周面３４の全周を密着して覆うため、カバー５０に力が加えられたときに、カバー５０は、外れたり、ずれたりしにくい。具体的には、第１カバー部５１の内径は、第１外周面３４の外径よりも小さくなっており、第１カバー部５１がゴムの弾性により弾性変形し、第１外周面３４に装着される。従って、第１カバー部５１は、第１外周面３４を密着して覆うことができる。例えば、第２カバー部５２が図５に示されるように枠体２０に接触することでカバー５０に力が加えられる場合、第１カバー部５１が第１外周面３４の全周を密着して覆うため、カバー５０は外れたり、ずれたりしにくい。
【００５６】
このように、カバー５０の第１カバー部５１は、第１外周面３４の形状に合わせた形状をしているため、カバー５０は外れたり、ずれたりしにくい。
【００５７】
また、例えば、筐体３０は、筐体３０の外周面のうち第１開口部３１及び第１外周面３４を除く外周面である第２外周面３５を有する。カバー５０は、第１開口部３１を覆う第２カバー部５２と、第２カバー部５２の一端及び他端を連結するベルト部５３とを有し、ベルト部５３は第２外周面３５の一部を覆う。
【００５８】
これにより、ベルト部５３は、第２カバー部５２と一体となって筐体３０を覆うため、カバー５０は、さらに外れたり、ずれたりしにくくなる。例えば、第２カバー部５２が図５に示されるように、枠体２０に接触することでカバー５０に力が加えられる場合、ベルト部５３は、第２外周面３５に引っかかるため、第２カバー部５２に加えられるカバー５０を筐体３０から外したり、ずらしたりする力は抑制される。
【００５９】
また、ベルト部５３が第２外周面３５の全てを覆う場合、筐体３０とカバー５０との間に発生する摩擦により、カバー５０は筐体３０に取り付けられることが困難になる。しかし、本実施の形態では、ベルト部５３は筐体３０の第３開口部３３側の外周面の全体ではなく、一部を覆うため、カバー５０は筐体３０に容易に取り付けられる。また、ベルト部５３が筐体３０の第２外周面３５の一部を覆うため、カバー５０の製造コストが低減される。
【００６０】
このように、ベルト部５３は、第２カバー部５２と一体となって筐体３０を覆うため、カバー５０は、外れたり、ずれたりしにくい。
【００６１】
また、例えば、第１カバー部５１は円筒形状であり、第２カバー部５２及びベルト部５３は半円筒形状である。
【００６２】
これにより、第１カバー部５１は円筒形状をしており、半円筒形状をしている第２カバー部５２及びベルト部５３を一体とすると円筒形状になるため、円筒形状のカバー５０は、多角形状のカバーと比較して取り扱われやすい。
【００６３】
以上、本発明に係る照明器具について、上記実施の形態に基づいて説明したが、本発明は、上記の実施の形態に限定されるものではない。
【００６４】
例えば、上記の実施の形態では、ベルト部５３は第２外周面３５の一部を覆うが、これに限らない。例えば、ベルト部５３は、第２外周面３５の全体を覆ってもよい。また、例えば、ベルト部５３は、複数あってもよい。
【００６５】
また、例えば、上記実施の形態では、第１開口部３１は、筐体３０の筒状の外周面のうち半円筒が欠落した開口であるが、これに限らない。例えば、第１開口部３１は、筐体３０の筒状の外周面のうち４分の１が欠落した開口であってもよい。
【００６６】
また、例えば、上記実施の形態では、第１開口部３１は、第３開口部３３側から第１外周面３４まで欠落した状態となっているが、これに限らない。例えば、第１開口部３１は、第３開口部３３側から第３開口部３３側と第１外周面３４との間まで欠落してもよい。
【００６７】
また、例えば、上記実施の形態では、光源は複数配置されるが、これに限らない。例えば、設置される部屋において要求される光量等により少なくとも１つの光源が配置されればよい。
【００６８】
また、例えば、上記実施の形態では、光源として、ＣＯＢタイプのＬＥＤが用いられたが、ＳＭＤ（Ｓｕｒｆａｃｅ  Ｍｏｕｎｔ  Ｄｅｖｉｃｅ）タイプのＬＥＤが用いられてもよい。さらに、光源は、半導体レーザ等の半導体発光素子、有機ＥＬ（Ｅｌｅｃｔｒｏ  Ｌｕｍｉｎｅｓｃｅｎｃｅ）や無機ＥＬ等のＥＬ素子等の発光素子であってもよい。
【００６９】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００７０】
１０  照明器具
２０  枠体
３０  筐体
３１  第１開口部
３４  第１外周面
３５  第２外周面
４０  発光部
５０  カバー
５１  第１カバー部
５２  第２カバー部
５３  ベルト部
【図１】
2016091955.tif 000003
【図２】
2016091955.tif 000004
【図３】
2016091955.tif 000005
【図４】
2016091955.tif 000006
【図５】
2016091955.tif 000007